(57)【特許請求の範囲】
【請求項１】
竪材と、横材と、竪材に取り付けた取付金具とを備え、横材は裏面に係止溝を備え、取付金具は係止溝に係合する係合部を有する係合ブラケットと、係合ブラケットを竪材に取り付ける取付ブラケットとを備え、係合ブラケットと取付ブラケットとで竪材を挟持して係合ブラケットと取付ブラケットとを固定し、係合ブラケットの係合部に横材の係止溝を係合することにより竪材に横材を取り付けていることを特徴とする陳列棚。
【請求項２】
少なくとも正面に位置する竪材は支柱にカバー部材を取り付けてあり、係合ブラケットと取付ブラケットとでカバー部材を支柱に挟持して押さえていることを特徴とする請求項１に記載の陳列棚。
【発明の詳細な説明】
【０００１】
【発明の属する技術分野】
本発明は、商品の陳列棚に関する。
【０００２】
【従来の技術】
この種の従来の陳列棚において特開２０００−１２６００２号公報には、竪材の上下方向に多数のねじ孔をあけておき、パラペット等の横材の裏面にブラケットをねじ止めし、このブラケットを竪材に嵌合させるとともにブラケットを竪材のねじ孔にねじ止めして、竪材に横材を取り付ける技術が開示されている。
【０００３】
【発明が解決しようとする課題】
しかしながら、上述した公報に開示の技術では、陳列棚を組み立てるときには、横材を取付位置に持ち上げてその位置を保持した状態で、竪材のねじ孔とブラケットのねじ孔とを一致させて竪材にブラケットをねじ固定する必要があるので、竪材にねじを止めるときに横材を所定の高さで保持しなければならないため、一人で作業し難く、作業性に劣るという問題がある。
【０００４】
また、この種の陳列棚においては、季節により陳列する商品がかわったり、売り場毎に陳列棚の意匠を変えたり又は統一したりする場合があるので、特にパラペット等の補助横材を容易に交換できるようにすることが望まれている。
【０００５】
本発明は、上述した事情に鑑みなされたもので、組み立て作業性に優れ且つ横材の取り替えも容易にできる陳列棚の提供を目的とする。
【０００６】
【課題を解決するための手段】
上記目的を達成するために、請求項１に記載の発明は、竪材と、横材と、竪材に取り付けた取付金具とを備え、横材は裏面に係止溝を備え、取付金具は係止溝に係合する係合部を有する係合ブラケットと、係合ブラケットを竪材に取り付ける取付ブラケットとを備え、係合ブラケットと取付ブラケットとで竪材を挟持して係合ブラケットと取付ブラケットとを固定し、係合ブラケットの係合部に横材の係止溝を係合することにより竪材に横材を取り付けていることを特徴とする。
【０００７】
この請求項１に記載の発明では、竪材に取付金具を固定し、取付金具の係合部を横材の裏面に設けた係止溝に係合して横材を取り付ける。従って、横材は取付金具の係合部に係合させるだけで取り付けでき、長尺の横材を所定の高さに保持しつつねじ止め作業をしなくて済むので、一人でも取り付け作業ができ作業性が良い。また、横材をねじにより固定する場合には、横材を取付金具に係止させたままの状態でねじ止めできるので、ねじ止めする場合にも作業しやすい。
【０００８】
横材の取り替えは、横材の裏面にある係止溝を取付金具の係合部から外し、新たな横材を取り付け金具に係合するだけであるから、横材の交換が一人で且つ容易にできる。
【０００９】
【００１０】
横材の取り付けは、係合ブラケットと取付ブラケットとで竪材を挟むようにしてこれらをねじや係止により固定し、係合ブラケットを竪材に固定する。
【００１１】
取付金具は竪材の任意の位置に取り付けできるので、横材の取付位置の変更が容易であり、意匠の自由度が高い。
【００１２】
また、取付金具を竪材に固定するために予め多数のねじ孔を竪材に形成しておく必要がないので竪材の外観がよい。
【００１３】
請求項２に記載の発明は、請求項１に記載の発明において、少なくとも正面に位置する竪材は支柱にカバー部材を取り付けてあり、係合ブラケットと取付ブラケットとでカバー部材を支柱に挟持して押さえていることを特徴とする。
【００１４】
この請求項２に記載の発明では、請求項１に記載の作用効果を奏するとともに、係合ブラケットと取付ブラケットとは、横材の取り付けの他にカバー部材の押さえ具をも兼ねている。従って、カバー部材の押さえ具を別途設ける必要がないので、部品点数を少なくできる。
【００１５】
また、竪材を支柱とカバー部材とで構成することにより、カバー部材の変更により、陳列棚の意匠を容易に変更できるとともに、カバー部材には穴等を設けることなく押さえて取り付けているのでカバー部材に傷がつき難く、再利用が可能である。
【００１６】
【００１７】
【００１８】
【００１９】
【発明の実施の形態】
以下に、本発明の実施の形態を添付図面を参照して説明する。まず、図１乃至図８を参照して本発明の第１実施の形態について説明する。図１は本発明の実施の形態に係る陳列棚の右端部を示す正面図であり、図２は図１に示す陳列棚の側面図であり、図３は図２のＡ−Ａ断面図であり、図４は図１のＢ−Ｂ断面図であり、図５は竪材と横材との固定部分を示す分解斜視図であり、図６は図２のＣ−Ｃ縦断面図であり、図７はコーナ取付金具における取付ブラケットを示す図であり、（ａ）は平面図、（ｂ）は正面図であり、図８はコーナ取付金具における係合ブラケットを示す図であり、（ａ）は平面図、（ｂ）は正面図である。
【００２０】
第１実施の形態に係る陳列棚１は、店舗における売り場で商品を陳列するものであり、竪材３と、横材５と、取付金具７とを備えている。尚、この陳列棚１は棚本体９を基体としており、竪材３は前支柱１５にカバー部材２３を取り付けて構成されている。
【００２１】
横材５は、陳列棚１の正面又は側面に取り付ける化粧材、パラペット、又は陳列物の内容を表示する板等の補助横材であり、合成樹脂又はアルミ等の金属の押し出し成形材でできている。化粧材やパラペット等の補助横材は、棚本体の横材と異なり、加重があまり係らないので強度が要求されず、且つ取り付けも簡単にすることができる。
【００２２】
横材５には、その裏面に係止溝１８が長手方向に沿って形成されており、後述する取付金具７の係合部３５が係合されている。係止溝１８は横材５の上部に設けた断面略コ字状の下方に向けて開いた溝であり、下方にある係合部３５に上から係止している。
【００２３】
棚本体９は、前支柱１５と、後支柱１７と、前支柱１５と後支柱１７とを連結する連結材１９とを連結して構成されており、前支柱１５の裏面には、それぞれ上下方向に係止孔２１が複数形成されている。係止孔２１は２列であり、この係止孔２１に連結材１９が取り付けられている。
【００２４】
前支柱１５には、横断面が略コ字状のカバー部材２３が取付られており、このカバー部材２３により前支柱１５の正面及び左右側面を覆っている。竪材３を前支柱１５にカバー部材２３を取り付けて構成とすることにより、木目調のカバー部材２３を用いたり、任意の色のカバー部材２３に交換したりすることにより意匠の変更が容易にできる。
【００２５】
竪材３には横材５の取付位置に取付金具７が固定されている。取付金具７は、正面側に設けた係合ブラケット２９と、裏面側に設けた取付ブラケット３１とで竪材３を挟むように設けて、竪材３の任意の高さのところでねじ３３にて固定している。係合ブラケット２９は上部につば状の係合部３５を突設してあり、下部に横材の受け部３７が設けられており、係合部３５と受け部３７との間にねじ孔３９が形成されている。このねじ孔３９にはねじ３３が挿通されるようになっている。
【００２６】
取付ブラケット３１は、横断面が略コ字形状の凹部４３を備え、凹部４３の左右両側につば４４、４４が設けられており、凹部４３に竪材３を嵌めて、つば４４、４４に形成したねじ孔４６と、係合ブラケット２９の受け部に設けたねじ孔３９とに固定ねじ３３を挿通して、取付ブラケット３１と係合ブラケット２９とをねじ止めてしている。これにより、取付ブラケット３１を竪材３の任意の位置に固定できる。
【００２７】
尚、取付ブラケット３１には、凹部４３に連結材１９を避けるための切欠き４５が形成されており、取付ブラケット３１の固定位置に連結材９があっても邪魔にならないようになっている。従って、取付ブラケット３１は竪材３に任意の高さの位置で取付自在である。また、本実施の形態では取付金具７はねじ５４（図３及び図４参照）により前支柱１５の裏面に止められている。
【００２８】
横材５の裏面には、係合部３５に係止可能な係止溝１８が横材の長手方向に沿って形成されている。
中段にある横材５の正面には商品の説明や価格表示用のプレートを装着するプレート装着溝４７が上下に形成されている。
【００２９】
中段の横材５の上部には、長手方向に沿ってパネル取付溝４９が形成されており、上横材５との間にパネル５１が装着可能であり、パネル５１は必要に応じて取り付けるようになっている。
【００３０】
陳列棚１の上段にある横材５は、正面の上部に上方に開いたテーパ状の溝５３が形成されている。この横材５には、下部にパネル取付溝５５が形成されており、上述した中段にある横材５のパネル取付溝４９とでパネル５１を保持するようになっている。
【００３１】
図７及び図８にはコーナ部に取り付ける取付金具７を示しており、図７に示す取付ブラケット５７には、断面略Ｌ字形状の凹部６３と、凹部６３の左右につば部５９、６１が形成されており、凹部６３で竪材３の角を受けるようになっている。また、凹部６３において、竪材３の裏面に位置する部分には切欠き６５が形成されており、竪材３の裏面に取り付けられている連結材１９を避けるようになっている。係合ブラケット５８は、側面が略L字形状に形成されており、図３に示すように、取付ブラケット５７の一方のつば部５９は、係合ブラケット５８の一側部６０aに取り付けられ、他方のつば部６１も係合ブラケット５８の他側部６０ｂにねじ止めされており、係合ブラケット５８は角で隣あう両方の横材５の裏面に位置している。
【００３２】
次に、第１実施の形態に係る陳列棚１の組み立てについて説明する。前支柱１５、後支柱１７及び連結材１９を組み付けて棚本体９を組み付け、前支柱１５にはその正面と左右側面との３面を覆うカバー部材２３を取り付ける。カバー部材２３は陳列棚１の意匠に応じて任意の模様や色のものを用いることができ、カバー部材２３を交換することにより意匠の変更も容易にできる。
【００３３】
そして、横材５を取り付けるが、中段及び上段の横材５、５の取付は、まず、竪材３の任意の高さのところに取付金具７を固定する。取付金具７は、竪材３の正面側に係合ブラケット２９を配置し、竪材３の裏面側に取付ブラケット３１を配置し、取付ブラケット３１の凹部４３に竪材３を嵌合して取付ブラケット３１と係合ブラケット２９とで竪材３を挟むようにしてねじ３３で固定する。この場合に、竪材３の裏面には連結材１９が取り付けられているが、連結材１９は取付ブラケット３１の切欠き４５で避けるので連結材１９が取り付けの邪魔にならない。
【００３４】
そして、取付金具７を竪材３に固定した後、係合部３５に横材の裏面にある係止溝１８を上方から係合する。
【００３５】
これにより、横材５の取付は取付金具７の係合部３５に係合により取付できるので、一人でも作業でき、作業性が良い。尚、横材５を取付金具７に係合した後、受け部３７を横材５の裏面にねじ６７で止め、横材５を取付金具７に確実に固定する。
【００３６】
更に、本実施の形態では、竪材３は前支柱１５にカバー部材２３を取り付けて構成しているが、係合ブラケット２９と取付ブラケット３１とでカバー部材２３を前支柱１５に挟持して押さえているので、断面略コ字形状のカバー部材２３が開いたり外れるのを防止している。即ち、本実施の形態では、取付金具７は横材５を竪材３に取り付けるとともにカバー部材２３を前支柱１５に押さえ付ける働きをもしている。
【００３７】
次に、図９乃至図１２を参照して第２実施の形態について説明する。図９は第２実施の形態に係る陳列棚の正面図であり、図１０は図９に示す陳列棚の側面図であり、図１１は図１０に示す陳列棚の縦断面図であり、図１２は図９のＤ−Ｄ断面図であり、図１３は図９のＥ−Ｅ断面図であり、図１４は化粧竪材の図であり、（ａ）は正面図、（ｂ）は縦断面図、（ｃ）は横断面図である。この第２実施の形態に係る陳列棚１は側面が略Ｌ字形状を成しており、正面及び左右側面の略全体を化粧材で覆っている。即ち、縦断面が略Ｌ字形状に支柱７１とベース脚７３とを組み付け、左右の支柱７１、７１を上連結材７５で連結して棚本体を骨組みしており、各支柱７１と、ベース脚７３及び上連結材７５に化粧材を取り付けている。
【００３８】
支柱７１には、化粧竪材７７を係止する係止孔７６が上下に複数形成されている。
図１４に示すように、横断面が略コ字形状の化粧竪材７７にかぎ状の係止部材７９を固定してあり、化粧竪材７７の長手方向の下部７８にはナット８０が埋め込まれており、下部７８はボルト止めするようになっている。
【００３９】
また、上連結材７５には横断面が略コ字形状の化粧横材８１が上から被せるように取り付けてある。この化粧横材８１は特に、ねじ等で固定されておらず、上連結材７５に乗せているだけであり、上連結材７５の両サイドの爪金具に嵌合してぐらつかないように係止されている。従って、化粧横材８１の取り付けも容易にできる。
【００４０】
本実施の形態では、各支柱７１、ベース脚７３及び上連結材７５を組み付けた後、正面及び左右側面に化粧材を取り付ける。この場合、化粧竪材７７は、支柱７１の係止孔７６に係止部材７９を係合させて、仮止めした後、下部をボルト８４で止めることにより固定する。化粧竪材７７は上下方向に長尺で取り扱い難いが、支柱７１に係止部７９を係止して吊り下げた状態とし、そのまま下部を支柱７１にボルト止めするだけで一人で容易に取り付け作業ができる。
【００４１】
また、上連結材７５においても化粧横材８１を被せただけであるから、組み立て作業がしやすい
この第２実施の形態においても、化粧竪材７７を支柱７１に止めているボルト８４を外し、次に係止部材７９の係合を支柱７１から外すことにより容易に取り外しでき、意匠の変更も容易に且つ一人の作業でおこなうことができる。
【００４２】
本発明は、上述した実施の形態に限定されず、本発明の要旨を逸脱しない範囲で種々の変形が可能である。
【００４３】
例えば、上述した実施の形態では、係合ブラケット２９を横材５の裏面に補助的にねじ固定したが、係合ブラケット２９の係合部３５を横材５の係止溝１８に係止させるだけであってもよい。
【００４４】
横材５はパラペットや化粧材に限らず、陳列棚の正面や側面に取り付ける横材であればよい。
【００４５】
取付金具７は竪材５の裏面にねじ５４で固定したが、竪材５にねじ止めしなくてもよく、例えば、切り起こしにより形成した係止部を竪材５に係止するものであってもよい。
【００４６】
【発明の効果】
請求項１に記載の発明によれば、横材の裏面に設けた係止溝を竪材に取り付けた係合ブラケットの係合部に係合することにより取り付けでき、長尺で重量のある横材を保持しつつねじ止めしなくて済むので、一人でも取り付け作業ができ、作業性が良い。
【００４７】
また、横材は係合ブラケットとの係合の解除により取り外しできるので、横材の交換も容易であり、横材の交換が一人で且つ容易にできる。
【００４８】
取付金具は、係合ブラケットと取付ブラケットとで竪材を挟むようにしてこれらを互いに固定することにより竪材に固定するので、取付金具を竪材の任意の位置に取り付けできる。従って、横材の取付高さを自由に設定でき、意匠の自由度が高い。
また、竪材に取付金具の固定用のねじ孔を予め多数設けておく必要がないから外観が良い。
【００４９】
請求項２に記載の発明によれば、請求項１に記載の効果を奏するとともに、係合ブラケットと取付ブラケットとは、カバー部材の押さえ具を兼ねているので、部品点数を少なくできる。
【００５０】
また、竪材を支柱とカバー部材とで構成することにより、カバー部材の変更が容易である。
【００５１】
更に、カバー部材は係合ブラケットと取付ブラケットで押さえて取り付けているのでカバー部材に傷がつき難く、再利用が可能である。
【００５２】
【図面の簡単な説明】
【図１】  本発明の第１実施の形態に係る陳列棚の右端部を示す正面図である。
【図２】  図１に示す陳列棚の側面図である。
【図３】  図２のＡ−Ａ断面図である。
【図４】  図１のＢ−Ｂ断面図である。
【図５】  竪材と横材との固定部分を示す分解斜視図である。
【図６】  図２のＣ−Ｃ縦断面図である。
【図７】  コーナ取付金具における取付ブラケットの図であり、（ａ）は平面図、（ｂ）は正面図である。
【図８】  コーナ取付金具における係合ブラケットの図であり、（ａ）は平面図、（ｂ）は正面図である。
【図９】  第２実施の形態に係る陳列棚の正面図である。
【図１０】  図９に示す陳列棚の側面図である。
【図１１】  図１０に示す陳列棚の縦断面図である。
【図１２】  図９のＤ−Ｄ断面図である。
【図１３】  図９のＥ−Ｅ断面図である。
【図１４】  化粧竪材の図であり、（ａ）は正面図、（ｂ）は縦断面図、（ｃ）は横断面図である
【符号の説明】
１    陳列棚
３    竪材
５    横材
７    取付金具
１１、７７  化粧竪材
１８  係止溝
２９、５８  係合ブラケット
３１  取付ブラケット
３５  係合部
４９  パネル取付溝
５１  パネル
７１  支柱
７６  係止孔
７９  係止部材
【図１】
0004097177.tif 000002
【図２】
0004097177.tif 000003
【図３】
0004097177.tif 000004
【図４】
0004097177.tif 000005
【図５】
0004097177.tif 000006
【図６】
0004097177.tif 000007
【図７】
0004097177.tif 000008
【図８】
0004097177.tif 000009
【図９】
0004097177.tif 000010
【図１０】
0004097177.tif 000011
【図１１】
0004097177.tif 000012
【図１２】
0004097177.tif 000013
【図１３】
0004097177.tif 000014
【図１４】
0004097177.tif 000015